(57)【要約】      （修正有）【課題】熱水供給の便利を高める加熱装置を提供する。【解決手段】加熱装置は、太陽熱ヒータ１０と日常使用される加熱器５０とを一体に結合したものである。太陽熱ヒータ１０の出水パイプ１０３は加熱器５０の加熱器進水パイプに接続され、出水パイプ１０３と加熱器進水パイプとの間には温度感知棒基座３０が設けられている。温度感知棒基座３０は、温度感知棒によって出水パイプ１０３内の水温を測定する。温度感知棒基座３０はパルスウェーブの周波数を温度コントローラ２０へ伝送し、温度コントローラ２０が電流を加熱器５０へ伝送し、加熱器５０が水を加熱する。出水パイプ１０３内の水温が温度調節器の設定値より低い場合、蛇口を開けると加熱器５０は加熱を行う。出水パイプ１０３内の水温が温度調節器の設定値より高い場合、加熱器５０が加熱を行わず、太陽熱ヒータ１０から持続して熱水が供給される。【選択図】図１
0003181459.tif 000002
【実用新案登録請求の範囲】
【請求項１】
太陽熱集熱板、および、出水パイプが設けられ前記太陽熱集熱板の内部空間と連通している貯水タンクを有する太陽熱ヒータと、
電源端子座、ノーヒューズブレーカ、漏電遮断器、タイマー、温度調節器、整流器、リレー、前記出水パイプに直列接続されている温度感知棒基座、温度感知棒、及び、第１伝送線を有する温度コントローラと、
前記温度感知に直列接続されている加熱器進水パイプおよび加熱器出水パイプが設けられており、第２伝送線によって前記温度コントローラに接続され、前記温度調節器により電流が供給され、前記加熱器出水パイプから流出する水を加熱する加熱器と、
前記温度コントローラに接続されており、前記温度調節器に伝送する電流を制御するリレーを有し、前記加熱器の点火を制御する遠方スイッチと、を備えることを特徴とする加熱装置。
【請求項２】
前記温度コントローラの温度は数字によって表示され、ボタン操作または機械操作により温度設定を行うことを特徴とする請求項１記載の加熱装置。
【請求項３】
前記温度感知棒基座の管径は、前記太陽熱ヒータの前記出水パイプ及び前記加熱器の前記加熱器進水パイプの管径に対応しており、
前記温度感知棒は、前記温度感知棒基座に固定されていることを特徴とする請求項１記載の加熱装置。
【請求項４】
熱水供給に使用されることを特徴とする請求項１記載の加熱装置。
【考案の詳細な説明】
【技術分野】
【０００１】
本考案は、加熱装置に関する。
【背景技術】
【０００２】
従来の太陽熱ヒータは太陽光を利用して水を加熱し、熱水を供給するので、エコかつ省エネである。その唯一の欠点は、曇りや太陽光の弱いとき貯水タンクを電気エネルギーの補助装置で加熱しなければならないこと、および、夜中に熱水を使わないとき貯水タンクの熱水は余って無駄になることである。
【０００３】
普通、ガスヒータまたは電気ヒータを使用するとき、蛇口を開けることで、ヒータは直ちに水を加熱する。現在はエコ、省エネ、二酸化炭素排出の減少等の政策が推進されているので、天然資源である太陽光の輻射熱を利用せず、ガスまたは電気で水を加熱することは経済的でないことである。
【考案の概要】
【考案が解決しようとする課題】
【０００４】
本考案の目的は、熱水供給の便利を高める加熱装置を提供することにある。
【課題を解決するための手段】
【０００５】
本考案の加熱装置は、太陽熱ヒータ、温度コントローラ、加熱器を備える。温度コントローラは、電源端子座、ノーヒューズブレーカ（ｎｏ−ｆｕｓｅ  ｂｒｅａｋｅｒ）、漏電遮断器、タイマー（ｔｉｍｅｒ）、温度調節器、整流器、伝送線、リレー（ｒｅｌａｙ）、遠方スイッチ（ｓｗｉｔｃｈ）、温度感知棒基座、温度感知棒、および伝送線を有する。加熱器は進水パイプ（ｐｉｐｅ）、出水パイプ、情報表示装置、および熱エネルギーパイプを有する。温度コントローラおよび温度調節器は数字により設備停止温度を設定する。太陽熱ヒータの貯水タンクの出水パイプの水は温度感知棒基座を通過する。温度感知棒の伝送線は電流パルスウェーブ（ｐｕｌｓｅ  ｗａｖｅ）の周波数を温度コントローラへ伝送する。電流は整流器から加熱器に伝送され、同時に情報表示装置が点灯する。このとき、蛇口を開けると加熱器は水を加熱する。逆に、水温が予め設定された温度調節器の温度に達すれば、加熱器は加熱を停止し、情報を表示しない。
【０００６】
太陽熱ヒータは、太陽が集熱板を照射することを利用し、太陽熱輻射エネルギーにより加熱された水を加熱した後貯水タンクに貯存する。一般の使用に於いて、曇りや雨天の太陽光が弱いとき、貯水タンクの水は電気で補助加熱するので、電気を多く消耗する。家庭用ガスヒータまたは電気ヒータは、天気が如何であるかに関わらず、蛇口が開けられると水を加熱する。太陽熱ヒータと家庭用ヒータとを結合して使用すすると、省エネかつ環境にやさしい効果を得ることができる。太陽熱ヒータの貯水タンクは電気の補助加熱を必要せず、省エネの効果を有する。加熱器は加熱器装置の制御により、水を加熱せず、曇りまたは雨天のみ水を加熱する。本考案の加熱装置は太陽熱ヒータと家庭用ヒータとを結合したものであり、便利かつ省エネである。
【図面の簡単な説明】
【０００７】
【図１】本考案の一実施形態の加熱装置を示す模式図である。
【図２】本考案の一実施形態の加熱装置の太陽熱ヒータを示す模式図である。
【図３】本考案の一実施形態の加熱装置の温度コントローラを示す図である。
【図４】本考案の一実施形態の加熱装置の温度感知棒座を示す模式図である。
【図５】本考案の一実施形態の加熱装置の加熱器を示す模式図である。
【考案を実施するための形態】
【０００８】
（一実施形態）
本考案の一実施形態を図面に基づいて説明する。
図１に示すように、本実施形態の加熱装置は、太陽熱ヒータ１０、温度コントローラ２０、加熱器５０を備える。太陽熱ヒータ１０は、集熱板１０１、貯水タンク１０２、および出水パイプ１０３を有する。温度コントローラ２０は、電源端子座２０２、ノーヒューズブレーカ２０３、漏電遮断器２０４、タイマー２０５、温度調節器２０６、整流器２０７、リレー２０８、および遠方スイッチ２０９を有する。温度調節器２０６は、温度感知棒基座３０、温度感知棒３０１、および伝送線３０２を有する。加熱器５０は、進水パイプ１０３１、出水パイプ５０１、伝送線２０７０、情報表示装置５０２、および熱エネルギーパイプ４０１等から構成される。
【０００９】
太陽熱ヒータ１０の出水パイプ１０３の水は温度感知棒基座３０を通過する。伝送線３０２は、電流パルスウェーブの周波数を温度コントローラ２０へ伝送し、電流を加熱器５０の点火システム（ｓｙｓｔｅｍ）に伝送する。このとき、蛇口を開くと、加熱器５０は直ちに水を加熱し熱水を供給する。温度コントローラ２０に電源が入ると、タイマー２０５に予め設定された熱水供給時間（数字で表す）に、蛇口が開けられ、直ちに熱水が供給される。温度調節器２０６は数字でパイプ中の温度を表示し、かつ予め設備停止の水温を設定することができる。太陽熱ヒータ１０の貯水タンク１０２の水は温度感知棒基座３０を通過する。水温が設備停止の温度に達しないと、温度コントローラ２０は加熱器５０の点火システムへ電流を供給し、水を加熱する。
【００１０】
太陽熱ヒータ１０は、太陽熱輻射集熱板１０１によって水を加熱する。貯水タンク１０２の出水パイプ１０３の水は温度感知棒基座３０を通過する。温度感知棒基座３０により検出された水温は温度コントローラ２０の温度調節器２０６へ伝送される。もし水温が予定の設備停止の温度に達した場合、加熱器５０は加熱を停止し、太陽熱ヒータ１０の貯水タンク１０２の水から加熱器５０の出水パイプ５０１へ熱水を供給する。太陽熱ヒータ１０は、太陽熱の輻射により水を保温する。曇りまたは雨天のとき、温度感知棒基座３０を通過する貯水タンク１０２の水の温度が温度調節器２０６に設定された設備停止の温度に達していない場合、温度コントローラ２０は加熱器５０の点火システムへ電流を供給し、水を加熱する。タイマー２０５に設定された熱水供給停止時間帯に熱水の供給が必要であれば、遠方スイッチ２０９の操作によってリレー２０８を動かし、漏電遮断器２０４から温度調節器２０６へ電流を伝送する。すると、整流器２０７は加熱器５０の点火システムへ電流を送り、加熱器５０及び遠方情報表示装置５０２が点灯する。このとき、蛇口を開けば、加熱器５０により水が加熱され、蛇口から熱水が流れる。本考案の加熱装置は、温度コントローラ２０に漏電遮断器２０４が設けられている。よって、少しの漏電が発生すれば電気が直ちに遮断され、使用時の安全性を向上する。本考案の加熱装置は、エコと省エネの効果を有する。
【符号の説明】
【００１１】
５０・・・加熱器、
２０・・・温度コントローラ、
１０・・・太陽熱ヒータ、
２０７０・・・伝送線、
３０２・・・伝送線、
１０３・・・出水パイプ、
５０１・・・出水パイプ、
４０１・・・熱エネルギーパイプ、
３０・・・温度感知棒基座、
１０・・・太陽熱ヒータ、
１０１・・・太陽熱輻射集熱板、
１０２・・・貯水タンク、
１０３・・・出水パイプ、
２０・・・温度コントローラ、
２０２・・・電源端子座、
２０３・・・ノーヒューズブレーカ、
２０４・・・漏電遮断器、
２０５・・・タイマー、
２０６・・・温度調節器、
２０７・・・整流器、
２０８・・・リレー、
２０９・・・遠方スイッチ、
３０２・・・伝送線、
３０１・・・温度感知棒、
３０・・・温度感知棒基座、
１０３・・・出水パイプ、
５０・・・加熱器、
５０２・・・遠方情報表示装置、
５０１・・・出水パイプ（加熱器出水パイプ）、
４０１・・・熱エネルギーパイプ、
２０７０・・・伝送線、
１０３１・・・進水パイプ（加熱器進水パイプ）。
【図１】
0003181459.tif 000003
【図２】
0003181459.tif 000004
【図３】
0003181459.tif 000005
【図４】
0003181459.tif 000006
【図５】
0003181459.tif 000007